(57)【要約】【課題】小型化したカメラを提供する。【解決手段】本発明のカメラは、撮像部３０、撮影レンズ２０との通信を行う接点部８１、及びシャッタ部４０、を具備し、シャッタ部４０は、レンズ側基板４１Ａと、撮像部側基板４１Ｂと、撮像部側基板４１Ｂとレンズ側基板４１Ａとの間に配置されると中間板４３と、を備える。シャッタ部４０は、レンズ側基板４１Ａと中間板４３との間において、収納状態には光路外の領域の一方の側に重畳され、伸張状態には光路を遮断するように動作する第１の幕４５と、撮像部側基板４１Ｂと中間板４３との間において、収納状態には光路外の領域の他方の側に重畳され、伸張状態には光路を遮断するように動作する第２の幕４４と、を備える。レンズ側基板４１Ａの他方の側には、切欠き４１Ａａが設けられ、接点部８１の少なくとも一部は、切欠き４１Ａａを貫通してレンズ側基板４１Ａよりも中間板４３側に配置されている。【選択図】図１
2011128499.tif 000002
【特許請求の範囲】
【請求項１】
被写体像を撮像する撮像部、着脱可能な撮影レンズとの通信を行う接点部、及び前記撮像部が前記撮影レンズを通過した被写体光に対して露光される時間を調整するシャッタ部、を具備するカメラであって、
前記シャッタ部は、
レンズ側基板と、
撮像部側基板と、
前記撮像部側基板と前記レンズ側基板との間に配置されると中間板と、を備え、
該レンズ側基板、該撮像部側基板及び該中間板のそれぞれに、被写体光が通過する開口部が設けられることにより、該レンズ側基板、該撮像部側基板及び該中間板を貫通する光路が形成され、
前記シャッタ部は、さらに、
前記レンズ側基板と前記中間板との間において、収納状態には前記光路外の領域の一方の側に重畳され、伸張状態には前記光路を遮断するように動作する第１の幕と、
前記撮像部側基板と前記中間板との間において、収納状態には前記光路外の領域の他方の側に重畳され、伸張状態には前記光路を遮断するように動作する第２の幕と、を備え、
前記レンズ側基板の前記他方の側には、切欠きが設けられ、
前記接点部の少なくとも一部は、前記切欠きを貫通して前記レンズ側基板よりも前記中間板側に配置されていること、
ことを特徴とするカメラ。
【請求項２】
請求項１に記載のカメラであって、
前記接点部における、前記中間板と対向する側には、該中間板側に延びる突起が設けられていること、
を特徴とするカメラ。
【請求項３】
請求項２に記載のカメラであって、
前記突起は、前記中間板と接して、該中間板の前記光路方向の変位を抑制すること、
を特徴とするカメラ。
【請求項４】
請求項２または３に記載のカメラであって、
前記中間板の前記接点部と対向する部位には、前記接点部に対して電気接続される電気配線が設けられ、
前記接点部から前記中間板側に延びる突起は、前記電気配線に対する接点としての機能を有すこと、
を特徴とするカメラ。
【請求項５】
請求項１〜４のいずれか１項に記載のカメラであって、
前記シャッタ部が露光動作を行う間、前記接点部を介した前記撮影レンズとの通信が行われないこと、
を特徴とするカメラ。
【発明の詳細な説明】
【技術分野】
【０００１】
本発明は、撮影レンズが着脱可能であって、該撮影レンズとの通信を行う接点を備えるカメラに関するものである。
【背景技術】
【０００２】
従来、撮影レンズが着脱可能であり且つ可動ミラーを有するカメラにおいては、撮影レンズとの通信を行う接点と、露光時間を規定するシャッタとは離れた位置にある（例えば、特許文献１参照）。
【先行技術文献】
【特許文献】
【０００３】
【特許文献１】特開２００８−１５４７６号公報
【発明の概要】
【発明が解決しようとする課題】
【０００４】
しかし、近年、カメラの小型化・薄型化のために可動ミラーを有さないカメラが開発されている。このようなカメラにおいては、接点とシャッタとが近接している。
【０００５】
本発明の課題は、接点とシャッタとの位置関係を利用してカメラの更なる小型化を達成することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、被写体像を撮像する撮像部（３１）、着脱可能な撮影レンズ（２０）との通信を行う接点部（８１）、及び前記撮像部（３１）が前記撮影レンズ（２０）を通過した被写体光に対して露光される時間を調整するシャッタ部（４０，４０’）、を具備するカメラ（１０）であって、前記シャッタ部（４０，４０’）は、レンズ側基板（４１Ａ）と、撮像部側基板（４１Ｂ）と、前記撮像部側基板（４１Ｂ）と前記レンズ側基板（４１Ａ）との間に配置されると中間板（４３）と、を備え、該レンズ側基板（４１Ａ）、該撮像部側基板（４１Ｂ）及び該中間板（４３）のそれぞれに、被写体光が通過する開口部（４２）が設けられることにより、該レンズ側基板（４１Ａ）、該撮像部側基板（４１Ｂ）及び該中間板（４３）を貫通する光路が形成され、前記シャッタ部（４０，４０’）は、さらに、前記レンズ側基板（４１Ａ）と前記中間板（４３）との間において、収納状態には前記光路外の領域の一方の側に重畳され、伸張状態には前記光路を遮断するように動作する第１の幕（４５）と、前記撮像部側基板（４１Ｂ）と前記中間板（４３）との間において、収納状態には前記光路外の領域の他方の側に重畳され、伸張状態には前記光路を遮断するように動作する第２の幕（４４）と、を備え、前記レンズ側基板（４１Ａ）の前記他方の側には、切欠き（４１Ａａ，４１Ａａ’）が設けられ、前記接点部（８１）の少なくとも一部は、前記切欠き（４１Ａａ，４１Ａａ’）を貫通して前記レンズ側基板（４１Ａ）よりも前記中間板（４３）側に配置されていること、ことを特徴とするカメラ（１０）である。
請求項２に記載の発明は、請求項１に記載のカメラ（１０）であって、前記接点部（８１）における、前記中間板（４３）と対向する側には、該中間板（４３）側に延びる突起（８１Ｃ）が設けられていること、を特徴とするカメラ（１０）である。
請求項３に記載の発明は、請求項２に記載のカメラ（１０）であって、前記突起（８１Ｃ）は、前記中間板（４３）と接して、該中間板（４３）の前記光路方向の変位を抑制すること、を特徴とするカメラ（１０）である。
請求項４に記載の発明は、請求項２または３に記載のカメラ（１０）であって、前記中間板（４３）の前記接点部（８１）と対向する部位には、前記接点部（８１）に対して電気接続される電気配線（９０）が設けられ、前記接点部（８１）から前記中間板（４３）側に延びる突起（８１Ｃ）は、前記電気配線（９０）に対する接点としての機能を有すこと、を特徴とするカメラ（１０）である。
請求項５に記載の発明は、請求項１〜４のいずれか１項に記載のカメラ（１０）であって、前記シャッタ部（４０，４０’）が露光動作を行う間、前記接点部（８１）を介した前記撮影レンズ（２０）との通信が行われないこと、を特徴とするカメラ（１０）である。
なお、符号を付して説明した構成は、適宜改良してもよく、また、少なくとも一部を他の構成物に代替してもよい。
【発明の効果】
【０００８】
本発明によれば、カメラの更なる小型化を達成することができる。
【図面の簡単な説明】
【０００９】
【図１】本発明の一実施形態としてのカメラを概念的に示す縦断面図である。
【図２】カメラにおけるカメラマウントの正面図である。
【図３】撮像レンズの背面図である。
【図４】図１におけるシャッタユニット部分の拡大図である。
【図５】シャッタユニットと本体側接点部を示す分解斜視図である。
【図６】シャッタユニットの動作を説明する図である。
【図７】（ａ）は、本体側接点部の一部が後幕空間に入り込む構成のシャッタユニットの斜視図であり、（ｂ）は（ａ）のＡ矢視に相当する本体側接点部の平面図である。
【発明を実施するための形態】
【００１０】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向、正位置において上側に向かう方向をＹプラス方向、正位置において被写体に向かう方向をＺプラス方向とする。また、Ｚ軸プラス方向を前面側、Ｚ軸マイナス方向を背面側ともいう。
【００１１】
図１は、本発明の一実施形態としてのカメラ１０及び撮影レンズ２０を概念的に示す縦断面図である。図２は、カメラ１０におけるカメラ側マウント１０Ｍの正面図（前面側から見た図）である。図３は、撮像レンズ２０の背面図である。図４は、図１におけるシャッタユニット４０部分の拡大図である。
【００１２】
撮像レンズ２０は、カメラ１０に対して着脱可能となっている。すなわち、カメラ１０は、レンズ交換可能であって、撮影対象に応じて焦点距離や機能などの異なる種種の撮像レンズを交換して用いることができる。
【００１３】
カメラ１０は、当該カメラ１０の外装を形成するカメラ筐体１１の内部に、撮像部３０と、シャッタユニット４０と、電子ビューファインダー５０と、表示装置６０と、制御装置７０と、を備えている。また、カメラ１０は、カメラ筐体１１の前面（Ｚプラス側の面）に、カメラ側マウント１０Ｍと、その内周部に配設された本体側接点部８０と、を備えている。
【００１４】
撮像部３０は、センサユニット３１及び防塵機構３２を備えている。
センサユニット３１は、撮像素子３１Ａと、オプチカルローパスフィルタ３１Ｂと、支持基板３１Ｃ等が、所定の位置関係および精度で組み立てられて構成されている。
撮像素子３１Ａは、被写体光を電気信号に変換するＣＣＤ等の光電変換素子である。
オプチカルローパスフィルタ３１Ｂは、撮像素子３１Ａの前面側に配置されており、撮像素子３１Ａの受光面に結像する被写体像にモアレが発生することを抑制する。
【００１５】
支持基板３１Ｃは、当該センサユニット３１の各構成要素を支持する基部であって、所定厚さの金属または樹脂板によって形成されている。支持基板３１Ｃは、図示しない内部構造体にネジ等により固定され、これによって撮像素子３１Ａがカメラ１０内の所定位置に設けられている。
防塵機構３２は、詳細は示さないが、被写体光を透過し塵埃を阻止するフィルタと、そのフィルタを加振して付着した塵埃を除去する駆動機構等を備えて構成されている。
【００１６】
シャッタユニット４０は、防塵機構３２の前面側に配設されている。
シャッタユニット４０は、図４に示すように、シャッタフレーム４１の内部に、中間板４３と、先幕４４および後幕４５を備えて構成されている。
シャッタフレーム４１及び中間板４３の中央部には、被写体光が通過する開口部４２が形成されている。
【００１７】
先幕４４および後幕４５は、図１，図２および図４中における上下方向（縦方向）に走行（展開）してそれぞれ開口部４２を開閉可能となっている。そして、先幕４４が閉じた状態から開口部４２を開放移動すると共に後幕４５が開口部４２を閉ざし、先幕４４と後幕４５の間の隙間の移動によって露光を行う。つまり、先幕４４の開放走行に対する後幕４５の閉鎖走行のタイミングの調整によって開口部４２の開放時間（すなわち露光時間）を調節する。
なお、このシャッタユニット４０の構成等については、後に詳述する。
【００１８】
電子ビューファインダー５０は、カメラ筐体１１の上面側（Ｙ軸方向プラス側）に配設されている。電子ビューファインダー５０は、詳細は図示しないが、撮像照射モジュールおよび接眼光学系等を備えている。電子ビューファインダー５０は、センサユニット３１の撮像素子３１Ａによって撮像されたスルー画像を撮像照射モジュールに表示する。撮影者は、撮像照射モジュールに表示された画像を、接眼光学系を介して視認することができる。これにより、クイックリターンミラーを備えない構成であっても、いわゆる一眼レフのように撮像素子３１Ａによる撮像をリアルタイムで見ることができる。
【００１９】
表示装置６０は、カメラ筐体１１の背面側（Ｚ軸方向マイナス側）に配設されている。表示装置６０は、液晶パネル等によって構成されている。表示装置６０は、撮像素子３１Ａによって撮像したスルー画像を表示する。これにより、撮影者は、表示装置６０を介して撮像素子３１Ａによる撮像を見つつ、電子ビューファインダー５０を覗くことなく撮影することも可能となっている。また、表示装置６０は、カメラ１０における各種機能の設定を行うための機能設定メニューや、シャッタ速度、絞り及び露光補正情報などの使用者が操作部を介して入力した撮影に関する設定情報や測光情報などを表示する。さらに、撮影画像やそのヒストグラム及び撮影情報などを表示する。
制御装置７０は、ＣＰＵ等によって構成され、撮影レンズ２０における合焦レンズ群Ｌ２の移動量演算や撮影、および画像処理等、当該カメラ１０全体の制御を行う。
【００２０】
カメラ側マウント１０Ｍは、カメラ筐体１１の前面（Ｚ軸方向プラス側）に設けられている。カメラ側マウント１０Ｍの内周側は、所定径で開口している。
カメラ側マウント１０Ｍは、マウント面１０Ｍａと周方向に複数の爪１０Ｍｂとを備えるいわゆるバネットマウントである。
【００２１】
カメラ側マウント１０Ｍの、図１および図２における下側の内周部には、当該カメラ１０と撮像レンズ２０との間での情報交換および、カメラ１０から撮像レンズ２０へ電力供給を行うための本体側接点部８０が設けられている。
本体側接点部８０は、複数（本実施形態では８個）の接点８１が、同一円周上に所定間隔で配設されている。各接点８１は、それぞれフレキシブル基板等の接続部材９０を介して制御装置７０に接続されている。
この本体側接点部８０の構成については、後に詳述する。
【００２２】
撮像レンズ２０は、鏡筒２１の内部に結像光学系を構成する複数のレンズ群（Ｌ１〜Ｌ３）と、レンズ側制御装置２２を備えている。鏡筒２１は、その背面側の端部に、内部にレンズ側マウント２０Ｍを備えている。
【００２３】
レンズ側マウント２０Ｍは、マウント面２０Ｍａと爪２０Ｍｂとを備えている。
レンズ側マウント２０Ｍの図１，図２および図４における下側の内周部には、カメラ１０における本体側接点部８０の接点８１と対応して、それぞれレンズ側接点２３が設けられている。
【００２４】
上記のように構成されたカメラ１０は、カメラ１０におけるカメラ側マウント１０Ｍに、撮像レンズ２０におけるレンズ側マウント２０Ｍが着脱可能に結合する。すなわち、カメラ１０におけるカメラ側マウント１０Ｍのマウント面１０Ｍａに、レンズ側マウント２０Ｍにおけるマウント面２０Ｍａが当接し、爪１０Ｍｂがレンズ側マウント２０Ｍにおける爪２０Ｍｂと光軸ＯＡ方向に係合することで、レンズ側マウント２０Ｍと結合する。これによって撮像レンズ２０がカメラ１０に光軸ＯＡを一致させた状態で装着される。
このカメラ１０への撮像レンズ２０の装着状態において、当該カメラ１０における本体側接点部８０の各接点８１と、レンズ側接点２３とが接触し、情報交換および電源供給可能に導通する。
【００２５】
カメラ１０は、下記のように作用する。すなわち、撮像レンズ２０の光学系によって撮像部３０におけるセンサユニット３１（撮像素子３１Ａ）に結像された被写体像を、撮像素子３１Ａが電気信号に変換する。撮像素子３１Ａによって光電変換された撮像データを、制御装置７０が画像データとして信号処理し、その信号処理された画像データは電子ビューファインダー５０及び表示装置６０に表示し、撮影時には、図示しない記録装置に記録する。
【００２６】
また、撮像レンズ２０における、レンズ群の合焦駆動及びズーム駆動は、カメラ１０が備える制御装置７０からの制御指令に基づいて行われる。この制御装置７０からレンズ側制御装置２２への情報伝達は、本体側接点部８０の接点８１とレンズ側接点２３とを介して行われる。
【００２７】
なお、本実施形態のカメラ１０は、撮像素子３１Ａが測光および合焦センサとしての機能も兼ねており、制御装置７０による露出制御および合焦制御は、撮像素子３１Ａからの情報に基づいて行われるようになっている。つまり、撮影待機状態では、シャッタユニット４０は図１，図２および図４に示すように開放されて撮像素子３１Ａに被写体光が入射し、制御装置７０はその撮像情報から測光および合焦情報を得るように構成されている。
【００２８】
つぎに、前述の図１〜図４に加えて図５および図６を参照して、カメラ１０におけるシャッタユニット４０と、本体側接点部８０の構成について詳細に説明する。図５は、シャッタユニット４０と本体側接点部８０を示す分解斜視図である。図６（ａ）〜（ｃ）は、シャッタユニット４０の動作を説明する図である。
シャッタユニット４０は、前述したように、中央部に開口部４２が形成されたシャッタフレーム４１及び中間板４３と、先幕４４および後幕４５とを備えて構成されている。
【００２９】
シャッタフレーム４１は、シャッタ基板４１Ａの背面側に所定間隔の空間を有してカバー板４１Ｂが装着されて、カメラ側マウント１０Ｍを略覆う矩形の板状の正面形状に構成されている。シャッタフレーム４１の開口部４２は、センサユニット３１の撮像素子３１Ａによる撮像領域と対応する所定縦横比率の矩形に形成されている。
【００３０】
中間板４３は、所定の厚さの合成樹脂または金属等の板部材によって、シャッタフレーム４１と対応する矩形に形成されている。中間板４３は、シャッタ基板４１Ａとカバー板４１Ｂの間に配設されて、両者の間の空間を前面側の後幕空間４０Ａと、背面側の先幕空間４０Ｂと、に仕切っている。
【００３１】
後幕空間４０Ａの開口部４２より図４中上側は、開放時の後幕４５を収容する後幕室４０Ａａとなっている。また、先幕空間４０Ｂの開口部４２より図４中下側は、開放時の先幕４４を収容する先幕室４０Ｂａとなっている。
後幕室４０Ａａと中間板４３を挟んで隣接する先幕空間４０Ｂには、後幕室規制突起４６が設けられている。後幕室規制突起４６は、カバー板４１Ｂに立設されており、後幕室４０Ａａの前後方向（Ｚ軸方向）における空間幅を規定し、中間板４３の背面側への移動を防ぐように設けられている。これにより、後幕４５が開口部４２を閉鎖した状態（後述するシャッタ羽根４５Ａが展開した状態）から、開口部４２を開放して後幕室４０Ａａに重合格納された際、シャッタ羽根４５Ａに摩擦抵抗でブレーキ作用を行うと共に、シャッタ羽根４５Ａや中間板４３のばた付き（振動）を抑制するようになっているものである。なお、後幕室規制突起４６は、Ｘ軸方向には複数配設されている。
【００３２】
先幕４４および後幕４５は、それぞれ複数枚（図では４枚）のシャッタ羽根４４Ａ，４５Ａによって構成されている。
シャッタ羽根４４Ａ，４５Ａは、黒色で、たとえば、厚さ０．１ｍｍの合成樹脂または金属材料で矩形状に形成されている。各シャッタ羽根４４Ａ，４５Ａは、上下の縁を水平状態として上下に平行移動可能に、図示しないアームを介してシャッタフレーム４１に支持されている。シャッタ羽根４４Ａ，４５Ａは、図示しない駆動手段によるアームの揺動操作によって、先幕室４０Ｂａまたは後幕室４０Ａａに重合収容されて開口部４２を開放する開放状態と、展開して開口部４２を覆って閉鎖する閉鎖状態との間で移動駆動されるようになっている。
【００３３】
ここで、シャッタユニット４０における、先幕室４０Ｂａと中間板４３を挟んで隣接する後幕空間４０Ａに侵入して、本体側接点部８０が配設されている。
すなわち、後幕空間４０Ａを形成するシャッタ基板４１Ａの図４中下側の一部に切欠き４１Ａａが形成されており、この切欠き４１Ａａを介して本体側接点部８０が後幕空間４０Ａに入り込んで設けられている。これにより、本体側接点部８０とシャッタユニット４０とを単純に直列配置する場合に比較して、図１中Ｌで示すカメラ側マウント１０Ｍのマウント面１０Ｍａからセンサユニット３１における撮像素子３１Ａの撮像面までの距離（いわゆるフランジバック）を短くできる。その結果、カメラ１０を小型に構成できる。
【００３４】
本体側接点部８０は、前述したように、複数の接点８１を備えている。
各接点８１は、図４に示すように、接点筐体８２の内部に、レンズ側接点ピン８１Ａと、付勢スプリング８１Ｂと、押圧端子８１Ｃとを備えている。
レンズ側接点ピン８１Ａは、所定径で所定長さの略円柱状で、接点筐体８２の前面側に所定量突出すると共にＺ軸方向に移動可能として配設されている。
付勢スプリング８１Ｂは、コイルスプリングであって、レンズ側接点ピン８１Ａに外挿されて設けられており、その弾性復帰力でレンズ側接点ピン８１Ａを前面側に突出付勢している。
【００３５】
押圧端子８１Ｃは、接点筐体８２に固定され、所定径で所定長さの略円柱状で、その先端を背面側に所定量突出させて、接点筐体８２に固定されている。押圧端子８１Ｃには、レンズ側接点ピン８１Ａが摺動移動可能に嵌合している。
レンズ側接点ピン８１Ａ、付勢スプリング８１Ｂおよび押圧端子８１Ｃは、導電性素材によって形成されており、レンズ側接点ピン８１Ａから押圧端子８１Ｃまで電気信号が導通可能となっている。
【００３６】
接点筐体８２から突出するレンズ側接点ピン８１Ａは、その先端位置が、カメラ１０に撮影レンズ２０が装着された状態において、撮影レンズ２０のレンズ側接点２３とＺ軸方向に所定量干渉するように設定されている。つまり、カメラ１０に撮影レンズ２０が装着されると、レンズ側接点ピン８１Ａは接点筐体８２に所定量没入し、付勢スプリング８１Ｂの付勢力でレンズ側接点２３に圧接されて導通可能な状態となるようになっている。
【００３７】
一方、中間板４３の、本体側接点部８０の配設部位と対応する部位には、制御装置７０に接続するフレキシブル基板等の接続部材９０の端子部９１が固定されている。
そして、本体側接点部８０は、その押圧端子８１Ｃを、接続部材９０の端子部９１に導通可能に接触させて設けられている。
【００３８】
上記のように構成された本体側接点部８０は、カメラ１０に撮影レンズ２０が装着された状態において、そのレンズ側接点ピン８１Ａが撮影レンズ２０のレンズ側接点２３に圧接されて導通可能に接触する。押圧端子８１Ｃは接続部材９０と導通可能に接触されており、従って、接点８１を介してカメラ１０と撮影レンズ２０とが電気信号を伝達可能に導通する。
【００３９】
また、押圧端子８１Ｃは、中間板４３を先幕室４０Ｂａ側（Ｚ軸マイナス方向）に向けて押圧しており、これによって、先幕室４０Ｂａの前後方向における空間幅を規定し、中間板４３の前面側への移動を防いでいる。すなわち、先幕４４が開口部４２を閉鎖した状態（シャッタ羽根４４Ａが展開した状態）から先幕室４０Ｂａに重合格納された際、シャッタ羽根４４Ａに摩擦抵抗でブレーキ作用を行うと共に、シャッタ羽根４４Ａや中間板４３のばた付き（振動）を抑制する。つまり、本体側接点部８０は、前述した後幕室４０Ａａに対する後幕室規制突起４６と同様の機能を有する。
【００４０】
つぎに、上記のように構成されたシャッタユニット４０の作用について、図６を参照して説明する。
本実施形態におけるカメラ１０は、前述したように、撮像素子３１Ａが測光および合焦センサとしての機能も兼ねている。このため、撮影待機状態では、図６（ｂ）に示すように、シャッタユニット４０は開放されている。すなわち、先幕４４のシャッタ羽根４４Ａは先幕室４０Ｂａに重合格納されると共に、後幕４５のシャッタ羽根４５Ａは後幕室４０Ａａに重合格納され、開口部４２が開口して撮像素子３１Ａに被写体光が入射している。
【００４１】
この撮影待機状態から、図示しないレリーズスイッチによって撮影が指令されると、図６（ａ）に示すように、シャッターチャージが行われる。すなわち、先幕４４のシャッタ羽根４４Ａが先幕室４０Ｂａから図中上向きに展開して開口部４２を閉ざした状態となる。
【００４２】
そして、シャッターチャージされた先幕４４のシャッタ羽根４４Ａが、図中下向きに走行して先幕室４０Ｂａに重合格納され、図６（ｂ）に示すように開口部４２を開放する。この先幕４４のシャッタ羽根４４Ａが先幕室４０Ｂａに重合格納される際において、前述した本体側接点部８０における押圧端子８１Ｃが、先幕４４のシャッタ羽根４４Ａや中間板４３のばた付き（振動）を抑制するように作用する。
【００４３】
ついで、先幕４４の開放走行に対して所定のタイミングで、後幕４５のシャッタ羽根４５Ａが後幕室４０Ａａから図中下向きに走行して、図６（ｃ）に示すように開口部４２を閉ざす。この先幕４４と後幕４５の間の隙間の移動によって、露光が行われる。
【００４４】
なお、露出時間が短い場合には、先幕４４と後幕４５の走行が極めて近接して行われ、両者の間の狭い隙間が図中下向きに移動することとなる。このため、図６（ｂ）に示すように開口部４２の全体が開放された状態とはならない。
露光終了後は、後幕４５のシャッタ羽根４５Ａが後幕室４０Ａａに戻って重合格納され、図６（ｂ）に示す開口部４２が開放された撮影待機状態に戻る。
【００４５】
ここで、制御装置７０は、露光中は本体側接点部８０を介した情報交換は行わない。これにより、特に本体側接点部８０が先幕４４の振動を抑制している状態（先幕４４の開放時）における、レンズ側接点ピン８１Ａとレンズ側接点２３との接触状態の変化による影響（通信エラー等）を防ぐ。制御装置７０が撮像素子３１Ａの撮像から得る合焦情報は、撮影露光中であっても得られるため、露光中の撮像から得られた情報に基づいて予測（外挿）した合焦情報を露光終了後直ちに伝送することで、動体予測連続撮影も可能となる。また、本実施形態では、本体側接点部８０は先幕４４の振動を抑制しているので、後幕４５の振動を抑制している場合よりも早く振動が治まり、情報交換を行わない期間が短くて済む。
【００４６】
以上、本実施形態によると、以下の効果を有する。
（１）カメラ１０は、シャッタユニット４０におけるシャッタフレーム４１のシャッタ基板４１Ａに切欠き４１Ａａが形成され、その切欠き４１Ａａに本体側接点部８０が配設されている。これにより、本体側接点部８０とシャッタユニット４０とを単純に直列配置する場合に比較して、図１中Ｌで示すカメラ側マウント１０Ｍのマウント面１０Ｍａからセンサユニット３１における撮像素子３１Ａの撮像面までの距離（いわゆるフランジバック）を短くできる。その結果、カメラ１０を小型に構成できる。
【００４７】
（２）カメラ１０は、本体側接点部８０における押圧端子８１Ｃが、中間板４３を先幕室４０Ｂａ側（Ｚ軸マイナス方向）に向けて押圧し、先幕室４０Ｂａの前後方向における空間幅を規定し、中間板４３の前面側への移動を防いでいる。これにより、先幕４４が開口部４２を閉鎖した状態（シャッタ羽根４４Ａが展開した状態）から先幕室４０Ｂａに重合格納された際、シャッタ羽根４４Ａに摩擦抵抗でブレーキ作用を行うと共に、シャッタ羽根４４Ａや中間板４３のばた付き（振動）を抑制し、シャッタ羽根４４Ａの安定した駆動が可能となる。
【００４８】
（３）カメラ１０は、本体側接点部８０におけるレンズ側接点ピン８１Ａと押圧端子８１Ｃとが導通可能に構成され、押圧端子８１Ｃは中間板４３に設けられた接続部材９０の端子部９１に圧接されて、制御装置７０と接続されている。これにより、押圧端子８１Ｃの中間板４３への押圧によって導通するためにレンズ側接点ピン８１Ａと接続部材９０とを半田等によって接続する構造が不要となり、Ｚ軸方向の寸法をより小さく構成できる。また、押圧端子８１Ｃが接続部材９０と別部材として構成されているので、レンズ側接点ピン８１Ａの摩耗等によって本体側接点部８０の交換が必要となった場合に、最小限の部材の交換で済み、コストが低減され、メンテナンス作業も容易となる。
【００４９】
（変形形態）
以上、説明した実施形態に限定されることなく、以下に示すような種々の変形や変更が可能であり、それらも本発明の範囲内である。
（１）本実施形態は、本体側接点部８０におけるレンズ側接点ピン８１Ａと押圧端子８１Ｃとが導通可能に構成され、押圧端子８１Ｃが中間板４３を押圧することによる先幕室４０Ｂａの前後方向における空間幅の規定と、中間板４３に設けられた接続部材９０の端子部９１との導通と、の両方の機能を兼ね備えた例である。しかし、押圧端子８１Ｃは、かならずしも両方の機能を備えなければならないものではなく、中間板４３を押圧して先幕室４０Ｂａの前後方向における空間幅の規定する機能のみを有するものであってもよい。この場合。レンズ側接点ピン８１Ａと接続部材９０とは一体部材とし、接続部材９０は本体側接点部８０から延びるように構成しても良い。
【００５０】
（２）本実施形態では、本体側接点部８０の全体が、シャッタユニット４０のシャッタフレーム４１におけるシャッタ基板４１Ａの切欠き４１Ａａを介して（シャッタユニット４０）後幕空間４０Ａに入り込んで設けられている。
しかし、図７に示すように、本体側接点部８０′の一部のみがシャッタユニット４０′に入り込んだ構成としても良い。図７（ａ）は、本体側接点部８０′の一部が後幕空間４０Ａに入り込む構成のシャッタユニット４０の斜視図であり、図７（ｂ）は（ａ）のＡ矢視に相当する本体側接点部８０′の平面図である。なお、図中、前述の実施形態と同様の構成要素には同符号が付してある。
【００５１】
図７に示す本体側接点部８０′は、その接点筐体８２′の中央の一部に、Ｚ軸方向に厚い凸部８２Ａが形成されている。このような本体側接点部８０′が部分的に厚い構成は、たとえば電源供給用の接点８１のみ導通のために押圧力を強力にするといった要因から必要となる場合がある。
【００５２】
このような本体側接点部８０′に対して、シャッタユニット４０′におけるシャッタフレーム４１′のシャッタ基板４１Ａ′には、凸部８２Ａと対応する大きさの切欠き４１Ａａ′が形成されている。そして、凸部８２Ａを切欠き４１Ａａ′からシャッタフレーム４１′の内部に入り込ませて、本体側接点部８０′をシャッタフレーム４１のシャッタ基板４１Ａに装着する。このような構成によっても、シャッタユニット４０と本体側接点部８０′との干渉量を小さくして全体としてＺ軸方向に短く構成することができる。
図示する形態では、レンズ側接点ピン８１と接続部材９０とは一体部材とし、接続部材９０を本体側接点部８０から延びるように構成されている。なお、この構成において、中間板４３を押圧して先幕室４０Ｂａの前後方向における空間幅を規定する部材（幕室規制突起）は、凸部８２Ａを用いても良く、またシャッタ基板４１Ａ′の内面等に別途設けてよい。
【００５３】
（３）本実施形態では、シャッタユニット４０は、その前面側に後幕４５が、背面側に先幕４４がそれぞれ配設された構成となっている。しかし、先幕および後幕の配置はこれと逆であっても良く、適宜設定可能である。
なお、実施形態及び変形形態は、適宜組み合わせて用いることもできるが、詳細な説明は省略する。また、本発明は以上説明した実施形態によって限定されることはない。
【符号の説明】
【００５４】
１：カメラ、１０：カメラ、３０：撮像部、３１Ａ：撮像素子、４０，４０′：シャッタユニット、４０Ａ：後幕空間、４０Ａａ：後幕室、４０Ｂ：先幕空間、４０Ｂａ：先幕室、４１，４１′：シャッタフレーム、４１Ａ：シャッタ基板、４１Ａａ，４１Ａａ′：切欠き、４２：開口部、４３：中間板、４４：先幕、４４Ａ：シャッタ羽根、４５：後幕、４５Ａ：シャッタ羽根、４６：後幕室規制突起、７０：制御装置、８０，８０′：本体側接点部、８１：接点、８１Ａ：レンズ側接点ピン、８１Ｂ：付勢スプリング、８１Ｃ：押圧端子、８２，８２′：接点筐体、８２Ａ：凸部、９０：接続部材、９１：端子部、２０：撮像レンズ、２２：合焦駆動装置、２３：レンズ側接点、Ｌ２：レンズ群
【図１】
2011128499.tif 000003
【図２】
2011128499.tif 000004
【図３】
2011128499.tif 000005
【図４】
2011128499.tif 000006
【図５】
2011128499.tif 000007
【図６】
2011128499.tif 000008
【図７】
2011128499.tif 000009